(57)【特許請求の範囲】
【請求項１】
ペットボトルを握ったときに、掌の丸みに沿う曲面形状部を設けると共に、この曲面形状部の上方で少なくとも一本の指の腹を受け入れる指受凹部をペットボトルを周回するリング状に設け、この曲面形状部および指受凹部から成る単位形態をペットボトルの上下方向に少なくとも２回繰り返して設けた、ペットボトル。
【請求項２】
前記指受凹部は、少なくとも、人差指の腹を受け入れる第１の指受凹部と、中指の腹を受け入れる第２の指受凹部とを個別に備えた、請求項１に記載のペットボトル。
【発明の詳細な説明】
【技術分野】
【０００１】
本発明は、形状に特徴を有するペットボトルに関する。
【背景技術】
【０００２】
従来、様々な形状のペットボトルが提案されている（例えば、特許文献１等）。
【先行技術文献】
【特許文献】
【０００３】
【特許文献１】特表２００９−５１３４５０号公報
【特許文献２】特開２００８−２６５８３８号公報
【発明の概要】
【発明が解決しようとする課題】
【０００４】
しかしながら、従来、ペットボトルを持つ人の手を冷やす又は温めることを主目的として設計された形状のペットボトルは無かった。本発明は、ペットボトルを持つ人の手を冷やす又は温めるために好適な形状のペットボトルを提案する。
【課題を解決するための手段】
【０００５】
本発明のペットボトルは、ペットボトルを握ったときに、掌の丸みに沿う曲面形状部を設けると共に、この曲面形状部の上方で少なくとも一本の指の腹を受け入れる指受凹部をペットボトルを周回するリング状に設け、この曲面形状部および指受凹部から成る単位形態をペットボトルの上下方向に少なくとも２回繰り返して設けた形態となっている。
【０００６】
指受凹部は、少なくとも、人差指の腹を受け入れる第１の指受凹部と、中指の腹を受け入れる第２の指受凹部とを個別に備えていてもよい。
【０００７】
本発明のペットボトルに冷たい内容物または温かい内容物を入れ、内容物が出ないようにキャップを閉める。そして、少なくとも一方の手でペットボトルを握り、掌が曲面形状部に当たるようにし、同時に、指で指受凹部を掴む。指受凹部を複数設けている場合は、複数の指で指受凹部を掴む。これにより、掌と指とがペットボトルに密着し、内容物が冷たい場合は、掌と指とが効率的に冷却され、内容物が温かい場合は、掌と指とが効率的に温められる。曲面形状部および指受凹部から成る単位形態はペットボトルの上下方向に少なくとも２回繰り返して設けられているので、上方の単位形態を一方の手で握り、下方の単位形態を他方の手で握ると、両手を効率的に冷却または温めることができる。
【発明の効果】
【０００８】
以上のように本発明によれば、ペットボトルを持つ人の手を冷やす又は温めるために好適な形状のペットボトルを提供することができる。
【図面の簡単な説明】
【０００９】
【図１】本発明の一実施形態であるペットボトルの正面図。左右側面図および背面図は正面図と同一に現れる。
【図２】図１に示すペットボトルの平面図および底面図であり、（ａ）は平面図、（ｂ）は底面図をそれぞれ示す。
【図３】図１に示すペットボトルの斜視図。
【発明を実施するための形態】
【００１０】
以下、本発明の一実施形態を図面を参照しつつ説明する。図１は、本発明の一実施形態であるペットボトルの正面図を示している。左右側面図および背面図は、この正面図と同一に現れる。また、図２（ａ）は、図１に示すペットボトルの平面図であり、図２（ｂ）は、図１に示すペットボトルの底面図である。本実施形態のペットボトルは、以上の６面図により特定される外形を有している。図３は、図１に示すペットボトルの斜視図である。
【００１１】
本実施形態のペットボトルは、ペットボトルを握ったときに、掌の丸みに沿う曲面形状部１を設けると共に、この曲面形状部１の上方で指の腹を受け入れる指受凹部２ａ，２ｂをペットボトルを周回するリング状に設けている。この曲面形状部１および指受凹部２ａ，２ｂから成る単位形態１０をペットボトルの上下方向に少なくとも２回繰り返して設けた形態となっている。
【００１２】
本実施形態において、指受凹部は、少なくとも、人差指の腹を受け入れる第１の指受凹部２ａと、中指の腹を受け入れる第２の指受凹部２ｂとを個別に備えている。
【００１３】
これを更に詳述すると、本実施形態において、単位形態１０は、略卵型の形状を上下に分けて、下部を曲面形状部１とし、上部に指受凹部２ａ，２ｂを形成している。指受凹部２ａ，２ｂは、曲面形状部１をなす面よりも更に凹ませて形成している。指受け凹部２ａ，２ｂは、指の腹の丸みに沿う曲面形状に凹んでいる。ペットボトルの先端には、内容物の出し入れを行う口が設けられており、この口を覆う着脱可能なキャップ３が装着されている。ペットボトルの内部は、上部の単位形態１０の部分と下部の単位形態１０の部分とが貫通されており、ペットボトル全体の中に１つの室（空洞）が設けられている。この室はキャップ３が装着された口にも繋がっており、よって、キャップ３をはずして口から入れた内容物はすべて１つの室に入り、室内の内容物はすべて口から出すことができる。また、図２（ａ）の平面図に示すように、本実施形態では、上方の単位形態１０に比べ、下方の単位形態１０の方が最大径を若干大きく形成されている。また、図２（ｂ）に示す底面図において、ペットボトルの底部４は、ボトルの内側に向けて凹んでいるものとする。このような形態のペットボトルは、例えば、二軸延伸ブロー成形法により製造される。
【００１４】
本実施形態のペットボトルに冷たい内容物または温かい内容物を入れ、内容物が出ないようにキャップ３を閉める。そして、少なくとも一方の手でペットボトルを握り、掌が曲面形状部１に当たるようにし、同時に、人差指で第１の指受凹部２ａを、中指で第２の指受凹部２ｂを掴む。さらに、手からペットボトルが脱落しないように、指受凹部２ａ，２ｂに親指を添えるとよい。これにより、掌と指とがペットボトルに密着し、内容物が冷たい場合は、掌と指とが効率的に冷却され、内容物が温かい場合は、掌と指とが効率的に温められる。曲面形状部１および指受凹部２ａ，２ｂから成る単位形態１０はペットボトルの上下方向に２回繰り返して設けられているので、上方の単位形態１０を一方の手で握り、下方の単位形態１０を他方の手で握ると、両手を効率的に冷却または温めることができる。
【００１５】
以上のように本実施形態によれば、ペットボトルを持つ人の手を冷やす又は温めるために好適な形状のペットボトルを提供することができる。ここで、本発明の範囲は実施形態に限られるものではなく、例えば、単位形態１０をボトルの上下方向に３回以上繰り返した形態としてもよい。
【実施例】
【００１６】
以下、さらに本発明の実施例を述べる。本願は、水、清涼飲料水、乳製品、食品等に用いるペットボトルの形状に関するものであり、掌冷却用ペットボトルと呼ぶに相応しく、「手アコンボトル」という商標が似合うものである。
【００１７】
ペットボトルはミネラルウォーターや清涼飲料水、乳製品、食品（以下、飲料等）など多種多様の用途の容器として普及し、また軽量なところから、持ち歩きや使い捨て容器として幅広く利用されている。また昨今、熱中症予防対策の需要も上がってきている。
【００１８】
日々、大量に使い捨てられているペットボトルであるが、特に夏季需要が高い。
人間の掌を体温調節のための一部、あたかも自動車エンジンのラジエーターのように利用することは有用である。そこでペットボトルの内容物の飲料等を凍結させ、掌を冷やすことにより、血液の温度を下げる。
特に夏季の外出時や屋外での活動などにおいて、掌を介して血液の温度を凍結飲料等との間で温度交換することにより体温の上昇を抑え、必要以上の発汗を抑制し、冷房にあたっているような効果を得られ、熱中症予防にもなる。
また夏季の炎天下での屋外活動中や移動中でも、内容物の飲料等を比較的長い時間冷たいまま保つことが可能となる。
さらに夏季よりはその効果は限定的なものとなるが、冬季においては温かな飲料等を入れることにより、掌を介して一時的に寒さを和らげることも可能になる。
そこで本実施例のペットボトルは、夏季はボトル内の飲料等を凍結させ、それらを掌でしっかりと持ち続けることにより体温の上昇を抑制し、冬季は温かな飲料等により寒さを和らげるペットボトルを提供するものである。
【００１９】
本実施例のペットボトルは、図面に示すように、あたかも二つのボトルを上下に繋げ、一つにしたような形状を特徴とするペットボトルである。
ボトル上部、下部双方ともに親指、人差し指、そして中指に当たる部分に凹面溝をつけている（指受凹部２ａ，２ｂ）。
また、ボトル上部、下部とも、それぞれの下半分は、薬指、小指、そして掌に密着するように末広がりの楕円状にしている（曲面形状部１）。
夏季の凍結用として利用する場合、飲料等は凍結することにより体積が膨張するため、常温時は内容量を少なめにするとよい。これにより、ボトルの破裂や解凍途中で開栓する場合の吹きこぼれを防ぐことができる。
【００２０】
本実施例によれば、左右両方の手で頻繁に持ち替えることを利用者に促し、凍結した飲料等を満遍なく解凍させ、それにより効率良く体温を調節することとなる。さらに頻繁に持ち替えることにより凍傷や低温火傷を防ぐことともなる。
また、ペットボトルを持ち歩く場合、主に親指と、人差し指と中指の三本の指で掴むこととなる。この三本の指部分に対し凹面の溝をつけることにより、持ち易くし、さらに親指、人差し指、中指とボトルに接する面積を大きくした。また薬指、小指、掌部分にあたる部分は末広がりの楕円型にした。これにより掌とボトル接する面積を増加させ、体温とボトル内飲料等との効率良い温度交換を可能にし、さらに持ち歩き易くなる。
【００２１】
ところで、内容物全てが凍結した状態では内容物である飲料等を摂取することは不可能である。
そこで、本願のペットボトルを手でつかむと、まず上下いずれかの凹面の溝に親指、人差し指、中指が当たり、薬指、小指部分と掌は末広がりになったボトル下部に触れるようになる。この時点から凍結した内容物の飲料等と人体の体温の温度交換が始まり、同時に内容物が融解を始め、徐々に内容物の摂取が可能となる。
長時間に亘り同じ手で持ち続けると凍傷や低温火傷の虞があるので、心理的に持ち手を替えるように促すために上下二つを同様の形態とした。これは上下いずれかが多く融解を始めると心理的に比較的融解の進んでいない一方の融解を促進させようとするので、その際に持ち手を替えさせようと企図したものである。さらにこの持ち替えにより内容物全体を満遍なく、効率よく体温で融解させる効果もある。
融解も進んでくると内容物摂取のために開栓することになるが、内容物は完全に融解する前は体積が膨張しているため、吹きこぼれを防止するために内容量は少なめにする。
【００２２】
以上の実施例によれば、真夏の炎天下における外出や、屋外で活動をしなければならない人々の体温調節を容易にし、熱中症予防等に大いに貢献する。
【符号の説明】
【００２３】
１  曲面形状部
２ａ，２ｂ  指受凹部
３  キャップ
４  底部
１０  単位形態
【図１】
0005155422.tif 000002
【図２】
0005155422.tif 000003
【図３】
0005155422.tif 000004